(57)【要約】【課題】干渉により上り通信性能が劣化することを抑制する。【解決手段】基地局１０１は、検出部９０２と判定部９０６と受信部９０８と制御部９０４とを備える。検出部９０２は、複数の無線エリアのいずれかに位置する端末が送信した上り信号から端末の上り通信の品質指標を検出する。判定部９０６は、検出された品質指標を基に、端末が品質指標に対して設定された複数のグループのいずれに属するかを判定する。送信部９０７は、判定の結果を制御装置宛に送信する。受信部９０８は、制御装置が、複数の無線エリアから受信した判定の結果を基に、グループ毎に決定した上り信号の送信電力制御方法を示す制御情報を、制御装置から受信する。制御部９０４は、受信した制御情報に従って、端末の送信電力を制御する。【選択図】図９
2018023040.tif 000002
【特許請求の範囲】
【請求項１】
複数の無線エリアのいずれかに位置する端末が送信した上り信号から前記端末の上り通信の品質指標を検出する検出部と、
前記検出された品質指標を基に、前記端末が前記品質指標に対して設定された複数のグループのいずれに属するかを判定する判定部と、
前記判定の結果を制御装置宛に送信する送信部と、
前記制御装置が、前記複数の無線エリアから受信した前記判定の結果を基に、前記グループ毎に決定した上り信号の送信電力制御方法を示す制御情報を、前記制御装置から受信する受信部と、
前記受信した制御情報に従って、前記端末の送信電力を制御する制御部と、
を備えた、基地局。
【請求項２】
前記品質指標には、前記端末の送信電力と前記上り信号の受信品質とが含まれ、
前記判定部は、前記送信電力が閾値以上であり、前記受信品質が端末ごとに定められる受信品質に満たない端末を第１のグループに属すると判定し、
前記制御情報は、前記第１のグループに属する端末の送信電力を他のグループに属する端末より優先して制限することを表わす、請求項１に記載の基地局。
【請求項３】
前記判定部は、前記第１のグループに属する端末のうち前記送信電力が最大となっている端末を第１のサブグループに属すると判定し、前記送信電力が最大となっていない端末を第２のサブグループに属すると判定し、
前記制御情報は、前記第１のサブグループに属する端末の送信電力を前記第２のサブグループに属する端末より優先して制限することを表わす、請求項２に記載の基地局。
【請求項４】
前記制御部は、前記制御情報に基づいて、前記第１のサブグループに属する端末の送信電力を、当該端末の送信電力を上げても受信品質が改善しない状態が開始した送信電力に制限する、請求項３に記載の基地局。
【請求項５】
前記判定部は、前記送信電力が閾値以上であり、前記受信品質が端末ごとに定められる受信品質を満たす端末を第２のグループに属すると判定し、
前記制御情報は、前記第２のグループに属する端末の送信電力を前記第１のグループに属する端末に次いで優先して制限することを表わす、請求項２から４のいずれか１項に記載の基地局。
【請求項６】
制御装置と複数の基地局とを備える無線通信システムであって、
前記複数の基地局のそれぞれは、
複数の無線エリアのいずれかに位置する端末が送信した上り信号から前記端末の上り通信の品質指標を検出する検出部と、
前記検出された品質指標を基に、前記端末が前記品質指標に対して設定された複数のグループのいずれに属するかを判定する判定部と、
前記判定の結果を前記制御装置宛に送信する第１送信部と、
前記制御装置が、前記複数の無線エリアから受信した前記判定の結果を基に、前記グループ毎に決定した上り信号の送信電力制御方法を示す制御情報を、前記制御装置から受信する第１受信部と、
前記受信した制御情報に従って、前記端末の送信電力を制御する制御部と、
を備え、
前記制御装置は、
前記複数の基地局のそれぞれより前記判定部による前記判定の結果を受信する第２受信部と、
前記受信した前記判定の結果に基づいて前記制御情報を生成する生成部と、
前記生成した制御情報を前記複数の基地局のそれぞれに送信する第２送信部と、
を備える無線通信システム。
【請求項７】
前記複数の基地局のそれぞれは、前記上り信号への干渉量を測定する干渉測定部を有し、
前記第１送信部は、前記測定の結果を前記制御装置に送信し、
前記生成部は、前記干渉量が許容値を超える基地局の数が一定数を超えると、前記端末の送信電力を制限する前記制御情報を生成する、請求項６に記載の無線通信システム。
【請求項８】
前記品質指標には、前記端末の送信電力と前記上り信号の受信品質とが含まれ、
前記判定部は、前記送信電力が閾値以上であり、前記受信品質が端末ごとに定められる受信品質に満たない端末を第１のグループに属すると判定し、
前記生成部は、前記第１のグループに属すると判定される端末の数が所定の数を超えると、前記第１のグループに属すると判定される端末の送信電力を制限する前記制御情報を生成する、請求項６または７に記載の無線通信システム。
【請求項９】
複数の無線エリアのいずれかに位置する端末が送信した上り信号から前記端末の上り通信の品質指標を検出し、
前記検出された品質指標を基に、前記端末が前記品質指標に対して設定された複数のグループのいずれに属するかを判定し、
前記判定の結果を制御装置宛に送信し、
前記制御装置が、前記複数の無線エリアから受信した前記判定の結果を基に、前記グループ毎に決定した上り信号の送信電力制御方法を示す制御情報を、前記制御装置から受信し、
前記受信した制御情報に従って、前記端末の送信電力を制御する、
基地局の動作方法。
【発明の詳細な説明】
【技術分野】
【０００１】
開示は、基地局、無線通信システムおよび基地局の動作方法に関する。
【背景技術】
【０００２】
無線通信規格の１つである３ＧＰＰ規格のＬＴＥシステムでは、基地局（ｅＮＢ）と移動端末（ＵＥ）との間の上りリンク通信において、ＵＥはｅＮＢから送信されるＴＰＣコマンドに基づいて送信電力の制御を行なう。なお、３ＧＰＰは、Ｔｈｉｒｄ  Ｇｅｎｅｒａｔｉｏｎ  Ｐａｒｔｎｅｒｓｈｉｐ  Ｐｒｏｊｅｃｔの略であり、ＬＴＥは、Ｌｏｎｇ  Ｔｅｒｍ  Ｅｖｏｌｕｔｉｏｎの略である。また、ｅＮＢは、ｅｖｏｌｖｅｄ  Ｎｏｄｅ  Ｂの略であり、ＵＥは、Ｕｓｅｒ  Ｅｑｕｉｐｍｅｎｔの略であり、ＴＰＣは、Ｔｒａｎｓｍｉｓｓｉｏｎ  Ｐｏｗｅｒ  Ｃｏｎｔｒｏｌの略である。
【０００３】
別言すれば、ＵＥは閉ループ制御され、上りデータ送信の送信電力（ＰＵＳＣＨ（Ｐｈｙｓｉｃａｌ  Ｕｐｌｉｎｋ  Ｓｈａｒｅｄ  ＣＨａｎｎｅｌ）送信電力）がｅＮＢから送信されるＴＰＣコマンドで指定されるオフセット値の累積値に基づいて制御される。
【０００４】
また、近年の携帯電話網などの無線通信システムにおいて、フェムトセルエリアと呼ばれる小さな無線セル（無線エリア）を形成する小型基地局を一般家庭やオフィス内などに配置するヘテロジニアスネットワークの検討が進められている。フェムトセル基地局の設置により、屋外のマクロセルのエリア内に、フェムトセルエリアが形成され、屋内などにおける携帯電話サービスの品質改善やサービスエリアの拡大、更には屋外のマクロセル基地局における無線トラヒックオフロード効果が期待できる。
【先行技術文献】
【特許文献】
【０００５】
【特許文献１】特表２００８−５２９３７５号公報
【特許文献２】国際公開第２００９／７２１７８号
【特許文献３】特開２００７−１５１１６７号公報
【特許文献４】特開２０１１−１６６４３５号公報
【発明の概要】
【発明が解決しようとする課題】
【０００６】
１つのオフィスフロアなどのエリアに複数の基地局（例えばフェムトセル基地局）を設置して通信サービスを提供する場合、ある移動端末がある基地局へ送信する無線信号が、他の移動端末が他の基地局へ送信する無線信号に干渉する場合がある。例えば移動端末Ａが基地局Ｂへ上り通信のために送信する無線信号が、移動端末Ｃが基地局Ｄへ上り通信のために送信する無線信号に干渉する場合がある。また、逆に移動端末Ｃが基地局Ｄへ上り通信のために送信する無線信号が、移動端末Ａが基地局Ｂへ送信する無線信号と干渉する場合がある。また、基地局Ｂと移動端末Ｃおよび基地局Ｄと移動端末Ａの相互作用により、基地局ＢおよびＤの双方が受信する信号品質が予想を超えて劣化し、上り通信性能が劣化する場合がある。
【０００７】
そこで、以上に鑑み、以下の開示の目的の一つは、干渉により上り通信性能が劣化することを抑制することにある。
【課題を解決するための手段】
【０００８】
一側面において、基地局は、検出部と判定部と受信部と制御部とを備える。検出部は、複数の無線エリアのいずれかに位置する端末が送信した上り信号から端末の上り通信の品質指標を検出する。判定部は、検出された品質指標を基に、端末が品質指標に対して設定された複数のグループのいずれに属するかを判定する。送信部は、判定の結果を制御装置宛に送信する。受信部は、制御装置が、複数の無線エリアから受信した判定の結果を基に、グループ毎に決定した上り信号の送信電力制御方法を示す制御情報を、制御装置から受信する。制御部は、受信した制御情報に従って、端末の送信電力を制御する。
【発明の効果】
【０００９】
一側面によれば、干渉により上り通信性能が劣化することを抑制することができる。
【図面の簡単な説明】
【００１０】
【図１】無線通信システムの全体構成図である。
【図２】ｅＮＢによるＵＥの上り送信電力制御の処理のフローチャートである。
【図３】ＵＥがｅＮＢからの上り送信電力制御命令に応じて上り送信電力を制御するためのフローチャートである。
【図４】（Ａ）はｅＮＢとＵＥとの間の通信の一例のシーケンス図であり、（Ｂ）は時間の経過とともに受信品質が目標受信品質に収束する一例を示すグラフである。
【図５】無線通信システムの全体構成図である。
【図６】無線通信システムにおけるｅＮＢおよびＵＥの通信のシーケンス図である。
【図７】実施形態１における無線通信システムの全体構成図である。
【図８】実施形態１におけるＵＥの機能ブロック図である。
【図９】実施形態１におけるｅＮＢの機能ブロック図である。
【図１０】ＵＥの識別情報に、目標受信品質の情報と、受信品質の情報と、送信電力値と、グループの識別情報と、を関連づけるテーブルの一例を示す図である。
【図１１】ＵＥを３つのグループに分類するための基準の一例を示す図である。
【図１２】実施形態１におけるグループ判定部によるＵＥのグループ判定を行なう処理のフローチャートである。
【図１３】（Ａ）および（Ｂ）は実施形態１におけるグループ判定制御部の処理のフローチャートである。
【図１４】実施形態１における制御装置の機能ブロック図である。
【図１５】実施形態１においてｅＮＢごとに各グループに属するＵＥの数を示す情報の一例をテーブル形式で示す図である。
【図１６】実施形態１における制御装置の処理のフローチャートである。
【図１７】実施形態１における無線通信システムによる通信の一例を説明するシーケンス図である。
【図１８】ＵＥを４つのグループに分類するための基準の一例を示す図である。
【図１９】実施形態２におけるグループ判定部によるＵＥのグループ判定を行なう処理のフローチャートである。
【図２０】グループＡ−１およびＡ−２に属するＵＥの送信電力に対する受信品質の関係を示すグラフの一例を示す図である。
【図２１】４つのグループに対するグループ制御情報による制御に対応するために、ｅＮＢが記憶する情報の一例をテーブル形式で示す図である。
【図２２】４つのグループに対するグループ制御が行なわれる場合の個々のＵＥに対する電力制御の処理のフローチャートである。
【図２３】実施形態３における無線通信システムの全体構成図である。
【図２４】実施形態３におけるｅＮＢの機能ブロック図である。
【図２５】実施形態３におけるｅＮＢのグループ判定制御部の処理のフローチャートの一例を示す。
【図２６】実施形態３においてｅＮＢごとに各グループに属するＵＥの数を示す情報の一例をテーブル形式で示す図である。
【図２７】実施形態３における制御装置の処理のフローチャートである。
【図２８】実施形態３の変形例におけるｅＮＢによるグループ制御要求の処理のフローチャートの一例を示す。
【図２９】実施形態３の変形例における制御装置の処理のフローチャートである。
【図３０】実施形態３の変形例における無線通信システムのｅＮＢおよび制御装置の通信のシーケンス図である。
【図３１】（Ａ）はＵＥのハードウェア構成図であり、（Ｂ）はｅＮＢのハードウェア構成図であり、（Ｃ）は制御装置のハードウェア構成図である。
【発明を実施するための形態】
【００１１】
以下、図面を参照して実施の形態を説明する。ただし、以下に説明する実施形態は、あくまでも例示であり、以下に明示しない種々の変形や技術の適用を排除する意図はない。なお、以下の実施形態に用いる図面において、同一符号を付した部分は、特に断らない限り、同一もしくは同様の部分を表わす。また、同一の構成を有するものが複数現われる場合には、＃ｋ（ｋは自然数）を符号に付して区別することがある。また、同じ符号に＃ｋを付したものを区別せずに説明するときには、＃ｋを省略して説明をすることがある。
【００１２】
（実施形態１）
図１は、無線通信システム１００の全体構成図である。無線通信システム１００は、基地局（ｅＮＢ）１０１と、ｅＮＢ１０１と接続されるネットワーク１０２と、ｅＮＢ１０１と通信する移動端末（ＵＥ）１０３とを有する。ネットワーク１０２は、例えばコアネットワークなどの基幹回線網である。ネットワーク１０２からＵＥ１０３宛てのデータをｅＮＢ１０１が受信すると、ｅＮＢ１０１は、受信したデータをＵＥ１０３へ送信する。また、ｅＮＢ１０１は、ＵＥ１０３より無線信号を用いて受信したネットワーク１０２宛てのデータをネットワーク１０２へ送信する。また、ｅＮＢ１０１は、ＵＥ１０３を制御するための信号を生成し、生成した信号をＵＥ１０３へ送信する。
【００１３】
ｅＮＢ１０１は、マクロセル基地局によりカバーされる広い無線通信エリア内のより小さい無線通信エリアをカバーするフェムトセル基地局やピコセル基地局が主に想定される。このため、ｅＮＢ１０１とネットワーク１０２との間に基地局制御装置が配置される場合がある。ＵＥ１０３は、携帯電話、スマートフォンまたは他の移動可能な通信を行なう装置が主に想定される。
【００１４】
ｅＮＢ１０１は、ＵＥ１０３がｅＮＢ１０１へ向けて無線信号を送信する際の送信電力を閉ループ制御する。別言すれば、ｉ番目のＵＥ１０３の送信電力ＰＰＵＳＣＨ（ｉ）は、次に示す数式によって決定される。
【数１】
2018023040.tif 000003
ＰＣＭＡＸ（ｉ）はｉ番目のＵＥ１０３の最大送信可能電力であり、ＭＰＵＳＣＨは送信帯域幅、ＰＯ＿ＰＵＳＣＨは目標電力であり、αはパスロス補償係数であり、ＰＬはパスロスであり、ΔＴＦ（ｉ）はＭＣＳ（Ｍｏｄｕｌａｔｉｏｎ  ａｎｄ  Ｃｏｄｉｎｇ  Ｓｃｈｅｍｅ）に基づくオフセットである。ｆ（ｉ）はＴＰＣオフセット値の累積値である。
【００１５】
ｅＮＢ１０１から、ＴＰＣオフセット値を含む電力制御命令がＵＥ１０３へ送信されることにより、ＴＰＣオフセット値の累積値ｆの増減が制御可能となり、ｅＮＢ１０１によるＵＥ１０３の送信電力値の増減が制御可能となる。
【００１６】
図２は、ｅＮＢ１０１によるＵＥ１０３の上り送信電力制御のための処理のフローチャートを示す。ステップＳ２０１において、ｅＮＢ１０１は、ＵＥ１０３が送信した上り信号の受信品質を測定し取得する。受信品質は、例えば、ＳＩＲ（Ｓｉｇｎａｌ  ｔｏ  Ｉｎｔｅｒｆｅｒｅｎｃｅ）値により表示することができる。また、ｅＮＢ１０１は、ＵＥ１０３それぞれに対して、目標受信品質を決定している。例えば、目標受信品質は、通信エラーの比率が所定の値以下となる最小の受信品質として決定することができる。ステップＳ２０２において、ｅＮＢ１０１は、目標受信品質とステップＳ２０１にて取得した受信品質とを比較する。
【００１７】
ステップＳ２０２における比較の結果、目標受信品質より受信品質が劣っている場合には（ステップＳ２０２でＹＥＳ）、ｅＮＢ１０１は処理をステップＳ２０３へ移行させ、受信品質を上げるためにＵＥ１０３の送信電力を上げる制御命令を送信する。例えば、ｅＮＢ１０１は、ＵＥ１０３の送信電力を１ｄＢ上げるＴＰＣコマンドを送信する。
【００１８】
逆に、ステップＳ２０２における比較の結果、目標受信品質より受信品質が劣っていなければ（ステップＳ２０２でＮＯ）、ｅＮＢ１０１は、処理をステップＳ２０４へ移行させ、無用な送信電力を削減するために、ＵＥ１０３の送信電力を下げる制御命令を送信する。例えば、ｅＮＢ１０１は、ＵＥ１０３の送信電力を１ｄＢ減少させるＴＰＣコマンドを送信する。
【００１９】
図３は、ＵＥ１０３がｅＮＢ１０１からの送信電力制御命令に応じて送信電力を制御するためのフローチャートである。ステップＳ３０１において、ＵＥ１０３は、ｅＮＢ１０１より電力制御命令を受信する。ステップＳ３０２において、ＵＥ１０３は、受信した電力制御命令が送信電力を上げる命令であるかどうかを判断する。
【００２０】
ステップＳ３０２において、受信した電力制御命令が送信電力を上げる命令であるとＵＥ１０３が判断する場合（ステップＳ３０２でＹＥＳ）、ＵＥ１０３は処理をステップＳ３０３へ移行させ、ＴＰＣオフセット値を増加させる（図３の場合は上述のｆの値を１増加させる）。また、ステップＳ３０２において、受信した電力制御命令が送信電力を下げる命令であるとＵＥ１０３が判断する場合（ステップＳ３０２でＮＯ）、ＵＥ１０３は処理をステップＳ３０４へ移行させ、ＴＰＣオフセット値を減少させる（図３の場合は上述のｆの値を１減少させる）。
【００２１】
図４（Ａ）は、ＵＥ１０３とｅＮＢ１０１との間の通信の一例のシーケンス図である。ステップＳ４０１において、ＵＥ１０３が上り信号をｅＮＢ１０１へ送信する。ｅＮＢ１０１が上り信号を受信すると、図２に示したフローチャートの処理を行ない、ステップＳ４０２において、ｅＮＢ１０１は、電力制御命令をＵＥ１０３へ送信する。ＵＥ１０３が電力制御命令を受信すると、ＵＥ１０３は、図３に示したフローチャートの処理を行なって送信電力の制御を行なう。ＵＥ１０３は、ステップＳ４０３において、制御された送信電力にて、上り信号をｅＮＢ１０１へ送信する。
【００２２】
ｅＮＢ１０１が上り信号を受信すると、再度、図２に示したフローチャートの処理を行ない、ステップＳ４０４において、ｅＮＢ１０１は、電力制御命令をＵＥ１０３へ送信する。ＵＥ１０３が電力制御命令を受信すると、ＵＥ１０３は、図３に示したフローチャートの処理を行なって送信電力の制御を行なう。ＵＥ１０３は、ステップＳ４０５において、制御された送信電力にて、上り信号をｅＮＢ１０１へ送信する。そして、ｅＮＢ１０１が上り信号を受信すると、ｅＮＢ１０１は、図２に示したフローチャートの処理を行ない、ステップＳ４０６において、電力制御命令をＵＥ１０３へ送信する。
【００２３】
以下同様に、処理が繰り返され、ｅＮＢ１０１が、受信品質に基づきＵＥ１０３へ電力制御命令を送信し、ＵＥ１０３が電力制御命令に従って制御した送信電力により上り信号を送信することが繰り返される。この結果、図４（Ｂ）に示すように時間の経過とともに、受信品質を目標受信品質にすることが可能となる。別言すれば、ｅＮＢ１０１においてＵＥ１０３からの上り信号の目標受信品質より受信品質が劣っていれば、ＵＥ１０３の送信電力が大きくなるように制御され、目標受信品質より受信品質が劣っていなければ、ＵＥ１０３の送信電力が小さくなるように制御される。これにより、時間の経過とともに、受信品質と目標受信品質との乖離を小さくし、受信品質を目標受信品質に収束させることができる。
【００２４】
次に、１つのオフィスフロアなどの比較的狭いエリアに複数のｅＮＢ１０１が配置され、それぞれがＵＥ１０３と通信を行なう場合、複数のｅＮＢ１０１および複数のＵＥ１０３の相互作用により、受信品質が劣化した状態が維持される場合があることを説明する。図５は、上述のような１つのエリアにｅＮＢ１０１＃１および１０１＃２が配置され、それぞれがＵＥ１０３＃１および１０３＃２と通信を行なう無線通信システム５００の全体構成図である。
【００２５】
図５において、ｅＮＢ１０１＃１およびｅＮＢ１０１＃２は、ネットワーク１０２＃１および１０２＃２にそれぞれ接続されている。ネットワーク１０２＃１および１０２＃２は、異なるネットワークであってもよいし、同じネットワークであってもよい。
【００２６】
また、ＵＥ１０３＃１は、ｅＮＢ１０１＃１との間の一点鎖線が示すように、ｅＮＢ１０１＃１と通信を行なう。ＵＥ１０３＃２は、ｅＮＢ１０１＃２との間の一点鎖線が示すように、ｅＮＢ１０１＃２と通信を行なう。このため、図２および図３を用いて説明したようにＵＥ１０３＃１は、ｅＮＢ１０１＃１により送信電力が制御され、ＵＥ１０３＃２は、ｅＮＢ１０１＃２により送信電力が個別に制御される。しかし、以下に説明するようにＵＥ１０３＃１およびＵＥ１０３＃２のそれぞれが、目標受信品質へ収束するように送信電力が個別に制御される場合、逆に目標受信品質への収束が実現せず送信電力が発散するように制御される場合がある。
【００２７】
比較的狭いエリアにｅＮＢ１０１＃１およびｅＮＢ１０１＃２が配置されているので、図５の点線により示されるように、ＵＥ１０３＃１がｅＮＢ１０１＃１へ送信する上り信号は、ｅＮＢ１０１＃２にも受信される。このため、ＵＥ１０３＃１の上り信号は、ｅＮＢ１０１＃２にとってはＵＥ１０３＃２より受信される上り信号に干渉する上り干渉信号となって受信される。同様に、ＵＥ１０３＃２がｅＮＢ１０１＃２へ送信する上り信号は、ｅＮＢ１０１＃１にも受信される。このため、ＵＥ１０３＃２の上り信号は、ｅＮＢ１０１＃１にとってはＵＥ１０３＃１より受信される上り信号に干渉する上り干渉信号となって受信される。
【００２８】
図６は、ＵＥ１０３＃１および１０３＃２の上り信号がｅＮＢ１０１＃１および１０１＃２のそれぞれの上り干渉信号となる無線通信システム５００におけるｅＮＢ１０１＃１、１０１＃２、ＵＥ１０３＃１および１０３＃２の通信のシーケンス図である。
【００２９】
ステップＳ６０１において、ＵＥ１０３＃１が上り信号をｅＮＢ１０１＃１へ送信する。例えば、ＵＥ１０３＃１がｅＮＢ１０１＃１へＰＵＳＣＨを用いてデータを送信したとする。また、ステップＳ６０１と同時または近接する時間に、ステップＳ６０３において、ＵＥ１０３＃２が上り信号をｅＮＢ１０１＃２へ送信することを想定する。このとき、ステップＳ６０２の点線の矢印として示すように、ステップＳ６０１においてＵＥ１０３＃１が送信した上り信号は、ステップＳ６０３においてＵＥ１０３＃２がｅＮＢ１０１＃２に送信した上り信号と干渉する上り干渉信号として受信される。また、ステップＳ６０４の点線の矢印として示すように、ステップＳ６０３においてＵＥ１０３＃２が送信した上り信号は、ステップＳ６０１においてＵＥ１０３＃１がｅＮＢ１０１＃１に送信した上り信号に干渉する上り干渉信号として受信される。
【００３０】
このため、ｅＮＢ１０１＃１がステップＳ６０１においてＵＥ１０３＃１から受信する上り信号の受信品質は目標受信品質を下回る。ｅＮＢ１０１＃１は、図２のフローチャートに示した処理を実行し、ＵＥ１０３＃１の送信電力を上げる電力制御命令を送信する（ステップＳ６０５）。また、同様にｅＮＢ１０１＃２がステップＳ６０３においてＵＥ１０３＃２から受信する上り信号の受信品質は目標受信品質を下回る。ｅＮＢ１０１＃２は、図２のフローチャートに示した処理を実行し、ＵＥ１０３＃２の送信電力を上げる電力制御命令を送信する（ステップＳ６０６）。
【００３１】
それぞれの電力制御命令を受信したＵＥ１０３＃１および１０３＃２が、送信電力オフセット値を増加させ、ステップＳ６０７およびＳ６０９において、同時または近接した時間において、上り信号を送信することを想定する。このとき、ステップＳ６０８およびＳ６１０において、上り信号のそれぞれは上り干渉信号としてｅＮＢ１０１＃１および１０１＃２にも受信され、それぞれの上り干渉信号の受信強度は、ステップＳ６０２およびＳ６０４におけるときよりも大きくなる。別言すれば、ＵＥ１０３＃１が送信電力を上げて上り信号を送信するので、ｅＮＢ１０１＃２にてＵＥ１０３＃２から受信される上り信号に干渉する上り干渉信号が強くなり、受信品質が上昇しない。また、ＵＥ１０３＃２が送信電力を上げて上り信号を送信するので、ｅＮＢ１０１＃１にてＵＥ１０３＃１から受信される上り信号に干渉する上り干渉信号も強くなり、受信品質が上昇しない。
【００３２】
このため、ｅＮＢ１０１＃１およびｅＮＢ１０１＃２において取得される受信品質は目標受信品質を再度下回る。そして、ステップＳ６１１およびＳ６１２のそれぞれにおいて、ｅＮＢ１０１＃１およびｅＮＢ１０１＃２は、送信電力を上げる電力制御命令を再度送信する。
【００３３】
それぞれの電力制御命令を受信したＵＥ１０３＃１および１０３＃２のそれぞれは、再度送信電力オフセット値を増加させ、ステップＳ６１３およびＳ６１５において、同時または近接した時間において、上り信号を送信することを想定する。このとき、Ｓ６１４およびＳ６１６のそれぞれにおいて、上り信号のそれぞれは上り干渉信号としてｅＮＢ１０１＃１および１０１＃２により受信され、それぞれの上り干渉信号の受信強度は、ステップＳ６０２およびＳ６０４におけるときよりもさらに大きくなる。
【００３４】
ｅＮＢ１０１＃１および１０１＃２のそれぞれにおいて取得される受信品質が目標受信品質を下回る場合、ステップＳ６１７およびＳ６１８のそれぞれにおいて、ｅＮＢ１０１＃１および１０１＃２は、上り送信電力を上げる電力制御命令を送信する。
【００３５】
以上のように、１つのエリア内に複数のｅＮＢ１０１＃１およびｅＮＢ１０１＃２が配置されている場合、ＵＥ１０３＃１および１０３＃２を介して互いに影響を与え合い、ＵＥ１０３＃１およびＵＥ１０３＃２の送信電力が増大する場合がある。当該送信電力の増大は、ＵＥ１０３＃１および１０３＃２の送信電力が最大になるまで続く。しかし、送信電力が最大になっても、ｅＮＢ１０１＃１および１０１＃２においては、受信品質が目標受信品質より劣る。
【００３６】
以上が、複数のｅＮＢ１０１および複数のＵＥ１０３の相互作用により、ＵＥ１０３の送信電力が最大になり、しかも、受信品質が劣化したままの状態が維持される場合があることの説明である。
【００３７】
図７は、上述した受信品質の劣化を抑制する無線通信システム７００の全体構成図である。無線通信システム７００において、ｅＮＢ１０１＃１およびｅＮＢ１０１＃２のそれぞれは、ネットワーク１０２＃１および１０２＃２に接続されている。ネットワーク１０２＃１および１０２＃２は、異なるネットワークであってもよいし、同じネットワークであってもよい。また、ＵＥ１０３＃１は、ｅＮＢ１０１＃１との間の一点鎖線が示すように、ｅＮＢ１０１＃１と通信を行なう。ＵＥ１０３＃２は、ｅＮＢ１０１＃２との間の一点鎖線が示すように、ｅＮＢ１０１＃２と通信を行なう。別言すれば、ＵＥ１０３＃１はｅＮＢ１０１＃１の配下にあり、ＵＥ１０３＃２はｅＮＢ１０１＃２の配下にある。
【００３８】
また、ＵＥ１０３＃１とｅＮＢ１０１＃２との間の点線が示すように、ＵＥ１０３＃１の送信する上り信号は、ｅＮＢ１０１＃２がＵＥ１０３＃２から受信する上り信号に干渉する上り干渉信号となり得る。ＵＥ１０３＃２とｅＮＢ１０１＃１との間の点線が示すように、ＵＥ１０３＃２の送信する上り信号は、ｅＮＢ１０１＃１がＵＥ１０３＃１から受信する上り信号に干渉する上り干渉信号となり得る。
【００３９】
無線通信システム７００は、無線通信システム５００において、ｅＮＢ１０１＃１および１０１＃２のそれぞれが制御装置７０１と通信可能になっている構成を有する。ｅＮＢ１０１＃１および１０１＃２のそれぞれと制御装置７０１とは、図７に示すように、通信を行なうようになっていてよい。
【００４０】
制御装置７０１がｅＮＢ１０１＃１および１０１＃２と接続されて通信を行なう場合、制御装置７０１は、ｅＮＢ１０１＃１および１０１＃２が配置される位置の近傍に配置されてよい。例えば、ｅＮＢ１０１＃１および１０１＃２が配置されるオフィスフロアに制御装置７０１が配置される。制御装置７０１は、ｅＮＢ１０１＃１およびｅＮＢ１０１＃２のいずれとも別体となっていなくてもよい。制御装置７０１は、ｅＮＢ１０１＃１または１０１＃２と一体となって構成され、ｅＮＢ１０１＃１または１０１＃２は、制御装置７０１の機能を有していてもよい。
【００４１】
なお、ｅＮＢ１０１＃１および１０１＃２のそれぞれが、制御装置７０１の機能を有していてもよい。この場合、例えば、配下のＵＥ１０３の数の大小によって、ｅＮＢ１０１＃１および１０１＃２のいずれの制御装置７０１の機能が発揮されるかが決定されてもよい。
【００４２】
あるいは、ｅＮＢ１０１＃１およびｅＮＢ１０１＃２のそれぞれと制御装置７０１とは、ネットワーク１０２＃１および１０２＃２を介して接続されていてもよい。また、ｅＮＢ１０１＃１および１０１＃２のそれぞれと制御装置７０１とは、別のネットワークを介して接続されていてもよい。ネットワークを介して接続される場合、制御装置７０１は、ｅＮＢ１０１＃１および１０１＃２が配置されている場所から遠隔地に配置されてもよい。
【００４３】
また、ｅＮＢ１０１＃１およびｅＮＢ１０１＃２の一方が、制御装置７０１にネットワーク１０２＃１または１０２＃２を介さずに接続されてよい。そして、ｅＮＢ１０１＃１およびｅＮＢ１０１＃２の他方が、ネットワーク１０２＃１またはネットワーク１０２＃２を介して制御装置７０１に接続されていてもよい。ネットワーク１０２＃１およびネットワーク１０２＃２がコアネットワークである場合には、制御装置７０１は、コアネットワークを制御するコアネットワーク制御装置の一部を構成していてもよい。
【００４４】
また、ｅＮＢ１０１＃１およびｅＮＢ１０１＃２のそれぞれと制御装置７０１との接続は、有線接続であってもよいし、無線接続を介する部分が含まれていてもよい。
【００４５】
図８は、ＵＥ１０３の機能ブロック図である。ＵＥ１０３は、受信部８０１と、送信電力制御部８０２と、送信部８０３とを有する。受信部８０１は、ｅＮＢ１０１より電力制御命令を含む制御信号および必要なユーザデータ（例えば下り通信データ）を受信する。送信電力制御部８０２は、受信部８０１により受信された電力制御命令に応じて、送信部８０３が上り信号を送信する際の上り送信電力を制御する。送信部８０３は、上り送信電力制御部８０２による上り送信電力の制御に従って、上り信号（例えば上り通信データを表わす信号や上り制御信号）を送信する。
【００４６】
また、送信部８０３は、送信部８０３の現在の送信電力に関する情報を上り信号に含めてｅＮＢ１０１に送信するようになっていてもよい。また、送信部８０３は、ＵＥ１０３の位置情報などを上り信号に含めてｅＮＢ１０１に送信するようになっていてもよい。送信電力に関する情報には、送信電力の大きさに加え、現在の送信電力が送信部８０３の送信可能な最大の送信電力であるか否かを示すフラグ情報が含まれていてもよい。位置情報は、ＧＰＳなどにより計測された地表を基準として位置を直接的に表す位置情報や、周囲のｅＮＢ１０１から受信される信号に基づいて計測されたＲＳＲＰ値により、周囲のｅＮＢ１０１に対する位置を、間接的に示す情報であってもよい。なお、ＧＰＳは、Ｇｌｏｂａｌ  Ｐｏｓｉｔｉｏｎｉｎｇ  Ｓｙｓｔｅｍの略であり、ＲＳＲＰは、Ｒｅｆｅｒｅｎｃｅ  Ｓｉｇｎａｌ  Ｒｅｃｅｉｖｅｄ  Ｐｏｗｅｒの略である。
【００４７】
なお、ＵＥ１０３は、図８に示す構成要素以外にも、ＵＥ１０３の他の機能を発揮するための構成要素をさらに有していていもよい。例えば、ＵＥ１０３は、ＵＥ１０３が携帯電話である場合には、呼制御機能を発揮し、通話の機能を制御するための構成要素がさらに備わってよい。
【００４８】
ＵＥ１０３の送信電力制御部８０２における送信電力制御の処理は、図３のフローチャートに示されているので説明を省略する。
【００４９】
図９は、ｅＮＢ１０１の機能ブロック図である。ｅＮＢ１０１は、受信部９０１と、通信状態情報取得部９０２と、グループ判定制御部９０３と、送信電力制御部９０４と、送信部９０５とを備えている。また、グループ判定制御部９０３は、グループ判定部９０６と、グループ情報送信部９０７と、グループ制御情報受信部９０８と、グループ制御部９０９とを有する。
【００５０】
受信部９０１は、ＵＥ１０３が送信する上り信号を受信する。受信部９０１は、ＵＥ１０３からの上り信号のダウンコンバージョン、復号処理などの他に、通信状態情報取得部９０２が、次に説明する通信状態情報を取得するために必要な測定データを取得する。
【００５１】
通信状態情報取得部９０２は、受信部９０１がＵＥ１０３から受信した上り信号に基づいて、ｅＮＢ１０１とＵＥ１０３との間の通信の状態を表わす情報（通信状態情報）を取得する。通信状態情報には、受信品質が含まれる。受信品質は上述のように例えばＳＩＲ値により表すことができる。ＳＩＲ値は、受信部９０１が例えば上り信号に含まれる既知のデータ系列を用いて上り信号の信号電力を測定した結果から、受信部９０１による受信信号電力の測定値を差し引いて求めることができる。
【００５２】
また、通信状態情報取得部９０２は、上り信号に含まれあるいは上り信号とともにＵＥ１０３から送信される送信電力値があれば、当該値も通信状態情報を構成する情報として取得してもよい。また、通信状態情報取得部９０２は、上り信号に含まれあるいは上り信号とともにＵＥ１０３から送信される位置情報があれば、当該情報も通信状態情報を構成する情報として取得してもよい。
【００５３】
別言すれば、通信状態情報取得部９０２は、検出部の一例であり、例示的に、複数の無線エリアのいずれかに位置するＵＥ１０３が送信した上り信号からＵＥ１０３の上り通信の品質指標を検出する。上り通信の品質指標は、上り信号の受信品質や受信電力によって表わされてよい。すなわち、品質指標が良くなれば、通信品質も良くなる。受信品質は、例示的に、ＳＩＲやＲＳＲＰ等であってよい。
【００５４】
通信状態情報取得部９０２は、取得した通信状態情報をグループ判定制御部９０３と送信電力制御部９０４とに転送する。通信状態情報取得部９０２は、通信状態情報を転送する際に、どのＵＥ１０３に関する通信状態情報であるかを示すＵＥ１０３の識別情報とともに通信状態情報を転送する。
【００５５】
送信電力制御部９０４は、通信状態情報取得部９０２から転送される通信状態情報に基づいて、ＵＥ１０３の送信電力の制御を個別に行なう。具体的には、図２に示したフローチャートによる処理に基づいてＵＥ１０３個別に送信電力の制御を行なう。また、送信電力制御部９０４は、グループ判定制御部９０３からＵＥ１０３のグループ判定に基づいてグループ制御が実施される旨の通知がされると、ＵＥ１０３個別の制御からＵＥ１０３の属するグループ毎の送信電力の制御に切り替えてグループ制御を実施する。ＵＥ１０３の属するグループおよびグループ制御の例については後述する。
【００５６】
別言すれば、送信電力制御部９０４は、制御部の一例であり、例示的に、制御装置７０１から受信した制御情報に従って、ＵＥ１０３の送信電力を制御する。
【００５７】
グループ判定制御部９０３は、通信状態情報取得部９０２から転送される通信状態情報に基づいて、各ＵＥ１０３の属するグループを判定する。また、グループ判定制御部９０３は、グループを判定した結果および制御装置７０１からの指示に基づいて、送信電力制御部９０４に、ＵＥ１０３のグループ制御を実施する旨を通知し、グループ制御に移行させることができる。
【００５８】
グループ判定制御部９０３がＵＥ１０３の属するグループを判定し、また、送信電力制御部９０４がＵＥ１０３個別の送信電力制御およびグループ制御を実施するために、例えば、ｅＮＢ１０１は、図１０に示すテーブルを管理することができる。図１０に示すように、当該テーブルには、「端末ＩＤ」、「目標受信品質」、「受信品質」、「送信電力」および「グループ」の列がある。「端末ＩＤ」は、ＵＥ１０３の識別情報を格納する列の名称である。「目標受信品質」は、ＵＥ１０３の目標受信品質の情報（例えば目標受信品質に対応するＳＩＲ値）を格納する列の名称である。「受信品質」は、ＵＥ１０３からの上り信号の受信品質の情報（例えばＳＩＲ値）を格納する列の名称である。「送信電力」は、ＵＥ１０３の送信電力を格納する列の名前である。送信電力そのものの代わりにＴＰＣオフセット値が「送信電力」の列に格納されてもよい。「グループ」は、ＵＥ１０３の属するグループの識別情報を格納する列の名前である。
【００５９】
図１０に示すテーブルの１行に、ＵＥ１０３の識別情報と、目標受信品質の情報と、受信品質の情報と、送信電力値と、グループの識別情報とを格納し、ＵＥ１０３の識別情報に、目標受信品質の情報と、受信品質の情報と、送信電力値とが関連付けられる。また、ＵＥ１０３の識別情報に、グループの識別情報が関連付けられる。また、ＵＥ１０３の位置情報などが上り信号に含められてｅＮＢ１０１に送信される場合には、位置情報などを格納する列が図１０に追加され、ＵＥ１０３の識別情報に関連付けられてもよい。
【００６０】
通信状態情報取得部９０２から通信状態情報がグループ判定制御部９０３に転送されると、ＵＥ１０３の識別情報に関連付けて格納されている「受信品質」および「送信電力」の列に格納されている値が変更される。また、ＵＥ１０３の識別情報が「端末ＩＤ」の列に格納されていなければ、新たな行を図１０に示すテーブルに挿入し、目標受信品質、受信品質および送信電力が格納される。
【００６１】
グループ判定部９０６は、図１０のテーブルに格納された情報に基づいてＵＥ１０３の属するグループを判定する。本実施形態においては、グループ判定部９０６は、ＵＥ１０３の送信電力と、目標受信品質および受信品質の関係と、に基づいてＵＥ１０３を３つのグループのいずれに属するかを判定することができる。
【００６２】
別言すれば、グループ判定部９０６は、判定部の一例であり、例示的に、検出された品質指標を基に、ＵＥ１０３が品質指標に対して設定された複数のグループのいずれに属するかを判定する。
【００６３】
図１１は、ＵＥ１０３を上述の３つのグループに分類するための基準の一例を示すテーブルである。まず、グループＣ（「第３のグループ」と称されてもよい。）は、送信電力が閾値（所定の値）より小さいＵＥ１０３のグループである。グループＣに属するＵＥ１０３については、送信電力が比較的小さい。このため、グループＣに属するＵＥ１０３からの上り信号が、他のｅＮＢ１０１において上り干渉信号ならないか上り干渉信号となっても、他のＵＥ１０３からの上り信号の受信品質を大きく損なうものではないと考えらえる。
【００６４】
グループＢ（「第２のグループ」と称されてもよい。）およびグループＡ（「第１のグループ」と称されてもよい。）は、送信電力が上述の閾値以上となるＵＥ１０３のグループである。グループＢおよびグループＡに属するＵＥ１０３については、送信電力が比較的大きいので、上り信号が他のｅＮＢ１０１における上り干渉信号になり得ると考えられる。
【００６５】
グループＢは、上り送信電力が上述の閾値以上となるＵＥ１０３の中でも、受信品質が目標受信品質より劣っていないＵＥ１０３のグループである。グループＢに属するＵＥ１０３については、目標受信品質より受信品質が劣っていないので、送信電力が現在より大きくなることはないと考えられる。したがって、グループＢに属するＵＥ１０３の上り信号が他のｅＮＢ１０１における上り干渉信号となっていない状態である場合には、当該状態は継続すると考えられる。また、グループＢに属するＵＥ１０３の上り信号が他のｅＮＢ１０１における上り干渉信号となっている状態であっても、当該状態は継続すると考えられる。
【００６６】
グループＡは、上り送信電力が上述の閾値以上となるＵＥ１０３の中でも、目標受信品質より受信品質が劣っているＵＥ１０３のグループである。グループＡに属するＵＥ１０３については、目標受信品質より受信品質が劣っているので、今後送信電力が大きくなることが予想される。このため、グループＡに属するＵＥ１０３の上り信号が現在、他のｅＮＢ１０１における上り干渉信号となっていなくても、今後は他のｅＮＢ１０１における上り干渉信号となる可能性が高いと考えられる。
【００６７】
以上のように、グループＡに属するＵＥ１０３の送信電力は今後さらに大きくなることが予想されるので、グループ制御を行なう際には、優先度を他のグループよりも高くして送信電力を制御してよい。また、グループＢに属するＵＥ１０３については、送信電力が大きいので、グループＡに次ぐ優先度にて送信電力を制御してよい。
【００６８】
上述の優先度は例えば次の通りである。グループ制御の際には、ｅＮＢ１０１の配下にグループＡに属するＵＥ１０３が存在すれば、当該ＵＥ１０３の送信電力制御を行なう。また、ｅＮＢ１０１の配下にグループＡに属するＵＥ１０３が存在せず、グループＢに属するＵＥ１０３が存在すれば、グループＢに属するＵＥ１０３の送信電力制御を行なう。
【００６９】
図１２は、グループ判定部９０６におけるＵＥ１０３のグループ判定を行なう処理のフローチャートである。ステップＳ１１０１において、グループ判定部９０６は、通信状態情報取得部９０２が取得した通信状態情報の転送を受けＵＥ１０３からの通信状態情報を取得する。別言すれば、グループ判定部９０６は、ＵＥ１０３が送信する上り信号に基づいて、ＵＥ１０３の送信電力と、上り信号のＳＩＲと、隣り合うセルからの下りＲＳＲＰとを取得してよい。グループ判定部９０６は、通信状態情報を取得すると、図１０に示したテーブルに通信状態情報を格納してもよい。
【００７０】
ステップＳ１１０２において、グループ判定部９０６は、送信電力値が、閾値以上であるかどうかを判断する。送信電力値が閾値より小さければ（ステップＳ１１０２においてＮＯ）、グループ判定部９０６は、処理をステップＳ１１０３へ移行させ、当該ＵＥ１０３がグループＣに属すると判定する。判定の結果は、図１０に示したテーブルの「グループ」の列に格納される。
【００７１】
送信電力値が閾値以上であれば（ステップＳ１１０２においてＹＥＳ）、グループ判定部９０６は、処理をステップＳ１１０４に移行させ、目標受信品質より受信品質が劣っているかどうかを判断する。もし、目標受信品質より受信品質が劣っていなければ（ステップＳ１１０４においてＮＯ）、グループ判定部９０６は、処理をステップＳ１１０５に移行させ、当該ＵＥ１０３がグループＢに属すると判定する。判定の結果は、図１０に示したテーブルの「グループ」の列に格納される。
【００７２】
目標受信品質より受信品質が劣っていれば（ステップＳ１１０４においてＹＥＳ）、グループ判定部９０６は、処理をステップＳ１１０６に移行させ、当該ＵＥ１０３がグループＡに属すると判定する。判定の結果は、図１０に示したテーブルの「グループ」の列に格納される。
【００７３】
グループ情報送信部９０７は、グループ判定部９０６による判定の結果を制御装置７０１に送信する。例えば、グループ情報送信部９０７は、図１０に示したテーブルを参照し、グループＡ、グループＢおよびグループＣそれぞれに属するＵＥ１０３の数を計数し、その結果を制御装置７０１に送信する。あるいは、グループ情報送信部９０７は、グループＡ、グループＢおよびグループＣそれぞれに属するＵＥ１０３の割合を制御装置７０１に送信してもよい。
【００７４】
別言すれば、グループ情報送信部９０７は、（第１）送信部の一例であり、例示的に、ＵＥ１０３のグループ判定の結果を制御装置７０１宛に送信する。
【００７５】
グループ制御情報受信部９０８は、制御装置７０１より、グループ制御の要否およびグループ制御が必要であれば、当該グループ制御の内容を受信する。グループ制御には、例えば、グループＡに属するＵＥ１０３の送信電力を現状維持とし、現在の送信電力よりも大きくしない制御が含まれてよい。また、別の制御の一例として、グループＡに属するＵＥ１０３の送信電力値を現在よりも小さくし、例えば、閾値と所定の関係のある値まで下げる制御がグループ制御に含まれてもよい。例えば、送信電力を閾値まで下げたり、あるいは、送信電力を、現在の送信電力と閾値との中間の値に制御したりしてよい。また、グループＡのグループ制御の内容に加えて、グループＢに属するＵＥ１０３の送信電力値を現状維持としたり、閾値と所定の関係のある値まで下げたりしてもよい。例えば、送信電力をグループＡに属するＵＥ１０３の送信電力の最小値に制御してもよい。また、制御の内容には、グループ制御を行なう場合、グループ制御を行なう時間の長さ、あるいは、グループ制御を解除する条件を表わす情報が含まれていてもよい。
【００７６】
別言すれば、グループ制御情報受信部９０８は、（第１）受信部の一例であり、例示的に、制御装置７０１が、複数の無線エリアから受信した判定の結果を基に、グループ毎に決定した上り信号の送信電力制御方法を示す制御情報を、制御装置７０１から受信する。
【００７７】
グループ制御部９０９は、グループ制御情報受信部９０８が受信した制御の内容に基づいて、送信電力制御部９０４を制御する。例えば、グループ制御情報受信部９０８が受信した内容が、グループ制御が実施されない旨であれば、グループ制御部９０９は、送信電力制御部９０４にＵＥ１０３個別の送信電力の制御を行なわせる。また、グループ制御が必要である場合には、送信電力制御部９０４に当該内容を伝達し、グループ制御の実行をさせる。制御の内容にグループ制御を行なう時間の長さを表わす情報が含まれていれば、グループ制御部９０９は、タイマを起動し、指定された時間の長さの経過後に、グループ制御を解除してよい。
【００７８】
図１３（Ａ）および（Ｂ）は、グループ判定制御部９０３の処理のフローチャートである。図１３（Ａ）を参照すると、ステップＳ１３０１において、グループ情報送信部９０７は、グループ情報を制御装置７０１へ送信する。図１３（Ａ）のフローチャートの処理が実行されるのは、図１２のフローチャートを実行した後であったり、所定の時間が経過するごとであったりする。あるいは、制御装置７０１からグループ情報の要求がされたときに、図１３（Ａ）のフローチャートの処理が実行されてもよい。
【００７９】
図１３（Ｂ）は、グループ制御部９０９が、制御装置７０１からグループ制御情報を受信し、送信電力制御部９０４にグループ制御をさせる場合の処理のフローチャートである。ステップＳ１３０２において、グループ制御情報受信部９０８がグループ制御情報を受信する。ステップＳ１３０３において、グループ制御部９０９は、グループ制御情報を解析し、グループ制御が必要であれば、グループ制御の内容を送信電力制御部９０４に伝達し、グループ制御を実施する。
【００８０】
図１４は、制御装置７０１の機能ブロック図である。制御装置７０１は、グループ情報受信部１４０１と、グループ制御情報生成部１４０２と、グループ制御情報送信部１４０３とを有する。
【００８１】
グループ情報受信部１４０１は、各ｅＮＢ１０１よりグループ情報を受信する。グループ情報受信部１４０１は、ｅＮＢ１０１よりグループ情報を受信すると、ｅＮＢ１０１ごとに例えば各グループに属するＵＥ１０３の数をメモリ３１２１（図３１（Ｃ）を用いて後述）などの記憶装置に記憶させる。
【００８２】
別言すれば、グループ情報受信部１４０１は、第２受信部の一例であり、例示的に、複数のｅＮＢ１０１のそれぞれよりＵＥ１０３のグループ判定の結果を受信する。
【００８３】
図１５は、ｅＮＢ１０１ごとに各グループに属するＵＥ１０３の数を示す情報の一例をテーブル形式で示す図である。「基地局ＩＤ」は、ｅＮＢ１０１の識別情報を格納する列の名称である。「グループＡ端末数」は、グループＡに属するＵＥの数を格納する列の名称である。「グループＢ端末数」は、グループＢに属するＵＥの数を格納する列の名称である。「グループＣ端末数」は、グループＣに属するＵＥの数を格納する列の名称である。図１５に示すテーブルの１行にｅＮＢ１０１の識別情報、グループＡに属するＵＥの数、グループＢに属するＵＥの数およびグループＣに属するＵＥの数が格納され、ｅＮＢ１０１の識別情報にグループＡ、ＢおよびＣに属するＵＥの数が関連付けられる。
【００８４】
制御装置７０１は、ｅＮＢ１０１の経度緯度などで表される位置情報をｅＮＢ１０１の識別情報に関連付けて記憶していてもよい。このようなｅＮＢ１０１の位置情報を用いて、グループ制御情報生成部１４０２は、ｅＮＢ１０１の位置関係を算出できるようになっていてもよい。なお、位置情報は、経度緯度などのような地表を基準とするものである必要はなく、例えば、建物の識別情報および当該建物のフロア識別情報により構成されていてもよい。複数のｅＮＢ１０１の建物の識別情報および当該建物のフロア識別情報が適合すれば、当該複数のｅＮＢ１０１は隣り合って配置されていることを算出する。
【００８５】
グループ制御情報生成部１４０２は、グループ情報受信部１４０１が受信したグループ情報に基づいて、グループ制御情報を生成する。
【００８６】
別言すれば、グループ制御情報生成部１４０２は、生成部の一例であり、例示的に、ｅＮＢ１０１から受信したＵＥ１０３のグループ判定の結果に基づいて制御情報を生成する。
【００８７】
例えば、或るｅＮＢ１０１＃９に隣り合って配置されている複数のｅＮＢ１０１＃１〜＃８のグループＢに属するＵＥ１０３の合計数が所定の数を超えていることを想定する。グループＢに属するＵＥ１０３の送信電力は上昇しないと予想されるが、送信電力が大きいので、ｅＮＢ１０１＃１〜＃８の無線エリアに隣り合う無線エリアを有するｅＮＢ１０１＃９と通信を行なうＵＥ１０３の上り信号への干渉信号源となり得る。そこで、グループ制御情報生成部１４０２は、ｅＮＢ１０１＃１〜＃８と通信を行なうＵＥ１０３の送信電力を例えば閾値と所定の関係のある値まで下げることを示すグループ制御情報を生成する。
【００８８】
また、例えば、或るｅＮＢ１０１＃１１の無線エリアに隣り合う無線エリアを有するｅＮＢ１０１＃１２のグループＡに属するＵＥ１０３の数が所定の数を超えていることを想定する。上述のように、グループＡに属するＵＥ１０３の送信電力は今後も上昇することが予想される。そのようなＵＥ１０３の数が多いので、グループ制御情報生成部１４０２は、ｅＮＢ１０１＃１２のグループＡに属するＵＥ１０３の送信電力を現状維持としたり、ＵＥ１０３の送信電力を閾値と所定の関係のある値まで下げたりするグループ制御情報を生成する。
【００８９】
グループ制御情報生成部１４０２は、図１１に示した受信品質が目標受信品質より小さいＵＥ１０３の合計数が一定数以上あるかを判定してよい。そして、受信品質が目標品質より小さいＵＥ１０３の合計数が一定数以上ある場合に、グループ制御情報生成部１４０２は、各ｅＮＢ１０１に対して、ＵＥグループの調査の開始指示を行なってよい。これにより、ＵＥグループ化および送信電力制御が開始される。
【００９０】
グループ制御情報送信部１４０３は、グループ制御情報生成部１４０２が生成したグループ制御情報を、ｅＮＢ１０１へ送信する。グループ制御情報送信部１４０３は、ｅＮＢ１０１を全てのｅＮＢ１０１へ送信せずに、グループ制御が行なわれるＵＥ１０３のグループを有するｅＮＢ１０１に送信するようになっていてもよい。
【００９１】
別言すれば、グループ制御情報送信部１４０３は、第２送信部の一例であり、例示的に、生成した制御情報を複数のｅＮＢ１０１のそれぞれに送信する。
【００９２】
上述の「ＵＥ１０３の合計数」などのグループ制御を行なうＵＥ１０３の数の閾値は、定数である必要はなく、時間に応じて変化するようになっていてもよい。例えば、オフィスフロアにおいては、日中と夜間とでＵＥ１０３の数が大きく異なるので、例えば、日中はＵＥ１０３の数の閾値を大きくし、夜間のＵＥ１０３の数の閾値は小さくするように、時間帯に応じてＵＥ１０３の数の閾値を切替えてもよい。あるいは、逆に、日中はＵＥ１０３の数の閾値を小さくし、夜間のＵＥ１０３の数の閾値は大きくする。また、日中の時間（例えば、制御装置７０１が設置されているオフィスフロアに入居する組織の勤務時間）は、グループ制御が実施される可能性がある時間帯とし、その他の時間はグループ制御を行なわないようにグループ制御情報生成部１４０２が動作してもよい。
【００９３】
図１６は、制御装置７０１の処理のフローチャートである。ステップＳ１６０１において、グループ情報受信部１４０１は、ｅＮＢ１０１よりグループ情報を受信する。ステップＳ１６０２において、グループ制御情報生成部１４０２は、グループ情報を解析する。ステップＳ１６０３において、グループ制御情報生成部１４０２は、ステップＳ１６０２の解析結果に基づいて、上り送信電力を制御するグループを決定し、グループ制御情報を生成する。ステップＳ１６０４において、グループ制御情報送信部１４０３は、ステップＳ１６０３にて生成されたグループ制御情報をｅＮＢ１０１へ送信する。
【００９４】
図１７は、無線通信システム７００におけるｅＮＢ１０１、ＵＥ１０３および制御装置７０１の間の通信の一例を説明するシーケンス図である。
【００９５】
ステップＳ１７０１においてＵＥ１０３＃１が、上り信号をｅＮＢ１０１＃１へ送信する。また、ステップＳ１７０１と同時または近接する時間内に、ステップＳ１７０３において、ＵＥ１０３＃２が上り信号をｅＮＢ１０１＃２へ送信する。このとき、ステップＳ１７０２およびＳ１７０４として示すように、ステップＳ１７０１においてＵＥ１０３＃１が送信した上り信号は、ｅＮＢ１０１＃２に上り干渉信号として受信される。また、ステップＳ１７０３においてＵＥ１０３＃２が送信した上り信号は、ｅＮＢ１０１＃１に上り干渉信号として受信される。
【００９６】
ステップＳ１７０５においてｅＮＢ１０１＃２はグループ情報を制御装置７０１へ送信し、ステップＳ１７０６においてｅＮＢ１０１＃１はグループ情報を制御装置７０１へ送信する。
【００９７】
制御装置７０１では、ｅＮＢ１０１＃２およびｅＮＢ１０１＃１から送信されたグループ情報を解析する。例えば、ｅＮＢ１０１＃２および１０１＃１のそれぞれと通信するＵＥ１０３のうちグループＡに属するＵＥ１０３が多ければ、それぞれのＵＥ１０３が送信する上り送信信号が、ｅＮＢ１０１＃１およびｅＮＢ１０１＃２へ上り干渉信号となり得ると判断する。この判断に基づき、制御装置７０１では、上り送信電力を制限するグループ制御情報を生成し、ステップＳ１７０７において、生成したグループ制御情報をｅＮＢ１０１＃２およびｅＮＢ１０１＃１へ送信する。
【００９８】
グループ制御情報を受信したｅＮＢ１０１＃２およびｅＮＢ１０１＃１のそれぞれは、グループ制御を開始し、ＵＥ１０３＃２およびＵＥ１０３＃１の上り送信電力を制限する電力制御命令を生成する。ステップＳ１７０８およびＳ１７０９において、ｅＮＢ１０１＃２およびｅＮＢ１０１＃１のそれぞれは、生成した電力制御命令をＵＥ１０３＃２およびＵＥ１０３＃１へ送信する。
【００９９】
このため、ステップＳ１７１０およびステップＳ１７１１のそれぞれにおいて、ＵＥ１０３＃１およびＵＥ１０３＃２が上り信号を送信する際には、ＵＥ１０１＃１およびＵＥ１０１＃２は、送信電力を制限する。当該制限により、ｅＮＢ１０１＃２およびｅＮＢ１０１＃１のそれぞれへの上り干渉信号は発生しないか、発生したとしても軽微な干渉となる。
【０１００】
この結果、次のステップＳ１７１２およびＳ１７１３において、ｅＮＢ１０１＃２およびｅＮＢ１０１＃１がグループ情報を送信し、制御装置７０１が受信すると、グループＢまたはグループＡに属するＵＥ１０３の数は減少することが期待できる。ステップＳ１７１４においては、グループ制御が不要であれば、その旨のグループ制御情報がｅＮＢ１０１＃１およびｅＮＢ１０１＃２に送信される。
【０１０１】
また、ステップＳ１７１２およびＳ１７１３において、ｅＮＢ１０１＃２およびｅＮＢ１０１＃１がグループ情報を送信し、制御装置７０１が受信しても、グループＡまたはグループＢに属するＵＥ１０３の数が減少しなければ、更に制限が課される。例えば、ステップＳ１７０７で送信されたグループ制御情報では、グループＡに属するＵＥ１０３を優先して送信電力を制限していたのを、グループＢに属するＵＥ１０３に対しても送信電力の実施をするように、送信電力の制限がされるグループが拡げられる。あるいは、ステップＳ１７０７で送信されたグループ制御情報による送信電力の制限よりもさらに送信電力の上限などを下げる旨をステップＳ１７１４で送信されるグループ制御情報により通知する。
【０１０２】
以上のように、本実施形態においては、ｅＮＢ１０１と通信するＵＥ１０３をグループに分け、制御装置７０１がグループ制御の要否および内容を判断する。これにより、各ｅＮＢ１０１と通信しているＵＥ１０３の上り送信電力の上昇に伴う上り干渉の増大を抑制することができる。別言すれば、複数のｅＮＢ１０１により干渉により上り通信性能が劣化する場合であっても上り通信性能を回復させスループットを改善することができる。
【０１０３】
特に、上り干渉信号の大きな通信エリアでは、従来の閉ループ制御によりＴＰＣを制御する方法により、上り信号のＳＩＲ値の劣化などの通信状態は、ＵＥ１０３の送信電力の増大となる傾向があり、上り干渉信号をさらに増大させてしまう結果となることが多い。他方、実施形態１においては、周辺の通信エリアの上り干渉信号源となる複数の通信エリアに属するＵＥ１０３の送信電力を相互に下げることが可能となる。また、上り干渉信号が低減できれば各ＵＥ１０３において無用な送信電力の増大を不要とすることができるので、ＵＥ１０３の消費電力の削減を実現することができる。
【０１０４】
（実施形態１の変形例）
図１８に、実施形態１の変形例において、ＵＥ１０３が属するグループの判定基準の一例を示す。
【０１０５】
図１１に示したテーブルにおいては、送信電力値が閾値以上であるかどうかがグループの判定基準の一つとなっているのに対し、図１８に示すテーブルにおいては、隣り合う無線エリアのｅＮＢ１０１に関するＲＳＲＰがグループの判定基準の一つとなっている。これは、隣り合う無線エリアのｅＮＢ１０１に関するＲＳＲＰが閾値より大きければ、ＵＥ１０３は、隣り合う無線エリアから一定の距離以内の位置に近づいており、隣り合う無線エリアのｅＮＢ１０１の干渉信号源となる可能性が高いからである。したがって、送信電力値の代わりに、隣り合う無線エリアのｅＮＢ１０１のＲＳＲＰを用いることができる。また、送信電力値と隣り合う無線エリアのｅＮＢ１０１のＲＳＲＰとを組み合わせて用いてもよい。送信電力値が大きく、隣り合う無線エリアのｅＮＢ１０１のＲＳＲＰが大きいと、隣り合う無線エリアのｅＮＢ１０１の干渉信号源となる可能性がより大きくなるので、ＲＳＲＰを基準に使用することも有用である。
【０１０６】
制御装置７０１のグループ制御情報生成部１４０２は、ＲＳＲＰが閾値以上であるｅＮＢ１０１が一定数以上あるかを判定してよい。そして、グループ制御情報生成部１４０２は、ＲＳＲＰが閾値以上であるｅＮＢ１０１が一定数以上ある場合に、ｅＮＢ１０１に対して、ＵＥグループの調査開始を指示してよい。これにより、上述した実施形態１におけるＵＥグループ化および上り送信電力制御が開始される。
【０１０７】
（実施形態２）
実施形態１の例においては、ＵＥ１０３が属するグループ数を３とし、そのうちのグループＡに属するＵＥ１０３は、送信電力値が閾値以上であり、受信品質が目標受信品質より劣っているので、今後送信電力が大きくなることが予想される。実施形態２として、グループＡをさらに２つのサブグループに分けることについて説明する。
【０１０８】
図１９は、実施形態２において、グループ判定部９０６におけるＵＥ１０３のグループ判定を行なう処理のフローチャートである。ステップＳ１９０１において、グループ判定部９０６は、通信状態情報取得部９０２が取得した通信状態情報の転送を受け、通信状態情報を取得する。
【０１０９】
ステップＳ１９０２において、グループ判定部９０６は、送信電力値が、閾値以上であるかどうかを判断する。送信電力値が閾値以上でなければ（ステップＳ１９０２においてＮＯ）、グループ判定部９０６は、処理をステップＳ１９０３へ移行させ、当該ＵＥ１０３がグループＣに属すると判定する。
【０１１０】
送信電力値が閾値以上であれば（ステップＳ１９０２においてＹＥＳ）、グループ判定部９０６は、処理をステップＳ１９０４に移行させ、目標受信品質より受信品質が劣っているかどうかを判断する。もし、目標受信品質より受信品質が劣っていなければ（ステップＳ１９０４においてＮＯ）、グループ判定部９０６は、処理をステップＳ１９０５に移行させ、当該ＵＥ１０３がグループＢに属すると判定する。
【０１１１】
目標受信品質より受信品質が劣っていれば（ステップＳ１９０４においてＹＥＳ）、グループ判定部９０６は、処理をステップＳ１９０６に移行させ、ＵＥ１０３の送信電力が最大であるかどうかを判断する。ＵＥ１０３の送信電力が最大でなければ（ステップＳ１９０６においてＮＯ）、グループ判定部９０６は、処理をステップＳ１９０７に移行させ、当該ＵＥ１０３がグループＡ−２に属すると判定する。「グループＡ−２」は、実施形態１のグループＡの「第２サブグループ」と称されてもよい。
【０１１２】
ＵＥ１０３の送信電力が最大であるとき（ステップＳ１９０６においてＹＥＳ）には、グループ判定部９０６は、処理をステップＳ１９０８に移行させ、ＵＥ１０３をグループＡ−１に属すると判定する。「グループＡ−１」は、実施形態１のグループＡの「第１サブグループ」と称されてもよい。
【０１１３】
したがって、実施形態１においてグループＡに属しているＵＥ１０３を、実施形態２においては、送信電力が最大であるかどうかにより、さらに第１サブグループに属するか第２サブグループに属するかの判定を行なう。
【０１１４】
第１サブグループに属するＵＥ１０３は、送信電力が最大となっており、これ以上送信電力を上げることができない。しかし、第１および第２サブグループに属するＵＥ１０３については、受信品質が目標受信品質より劣っている。したがって、第１および第２サブグループに属するＵＥ１０３は、送信電力を大きくしても目標受信品質に到達しなかったと云える。別言すれば、送信電力に対して受信品質が目標受信品質より低い品質で飽和状態となっている可能性がある。第１および第２サブグループに属するＵＥ１０３の送信電力に対する受信品質のグラフが、図２０の曲線２００２に示すように、飽和開始電力より送信電力が大きくなっても、受信品質がある品質以上に改善せずに目標受信品質２００１を下回って飽和していると考えられる。そこで、第１および第２サブグループに属するＵＥ１０３については、送信電力を飽和開始電力まで下げても受信品質が変化しないと云える。
【０１１５】
ここで、ｅＮＢ１０１は、各ＵＥ１０３の上り電力制御の飽和開始電力を判断するため、例えば各ＵＥ１０３の上り電力制御開始時またはＴＰＣオフセット値の累積値ｆ（ｉ）のリセット時から、ｆ（ｉ）の監視を行なってよい。そして、図２０に示すように、ｆ（ｉ）の変化量が閾値以下である区間が一定以上継続された場合に、変化量が閾値以下となった際の送信電力が、飽和開始電力に相当すると捉えてよい。
【０１１６】
以上より、グループ制御情報生成部１４０２は、グループ制御を行なう場合には、グループＡ−１に属するＵＥ１０３については、飽和開始電力にΔ１を加えた値ｘ１まで送信電力を下げるグループ制御情報を生成し、ｅＮＢ１０１へ送信してよい。Δ１は、例えば、０［ｄＢｍ］であってよい。また、グループＡ−１に属するＵＥ１０３は、送信電力が最大になっており、他のグループに属するＵＥ１０３よりも上り干渉信号源となっている可能性が高いので、送信電力のグループ制御を他のグループおよびサブグループよりも優先して行なわれてよい。
【０１１７】
グループ制御情報生成部１４０２は、グループ制御を行なう場合には、グループＡ−２に属するＵＥ１０３については、上記の値ｘ１にΔ２を加えた値ｘ２まで送信電力を下げるグループ制御情報を生成し、ｅＮＢ１０１へ送信してよい。Δ２は０［ｄＢｍ］であってもよいし、値ｘ２により定まる電力がグループＡ−１における電力低下量の半分となるように選択されてもよい。また、グループＡ−２に属するＵＥ１０３は、グループＡ−１に属するＵＥ１０３に次いで、送信電力のグループ制御を他のグループよりも優先して行なわれてよい。
【０１１８】
グループ制御情報生成部１４０２は、グループ制御を行なう場合には、グループＢに属するＵＥ１０３については、上記の値ｘ２にΔ３を加えた値ｘ３まで送信電力を下げるグループ制御情報を生成し、ｅＮＢ１０１へ送信してよい。Δ３は、値ｘ３により定まる電力がグループＡ−１における電力低下量の半分となるように選択されてもよいし、電力低下量が０［ｄＢｍ］となるように選択されてもよい。すなわち、グループＢに属するＵＥ１０３については、送信電力が下げられなくてもよい。また、グループＢに属するＵＥ１０３は、グループＡ−２に属するＵＥ１０３に次いで、送信電力のグループ制御を他のグループよりも優先して行なわれてよい。
【０１１９】
ｅＮＢ１０１は、上述のグループ制御情報による制御に対応するために、例えば、図２１に示すテーブルに関する情報をメモリ３１１１（図３１（Ｂ）を用いて後述）などの記憶装置に記憶してもよい。図２１に示すテーブルは、図１０に示したテーブルに対して「飽和開始電力」および「目標送信電力」の列が加えられている。「飽和開始電力」の列には、第１サブグループに属するＵＥ１０３の受信品質が飽和を開始する送信電力が格納される。当該飽和が開始する送信電力を算出するために、各ＵＥ１０３の電力制御開始時（または送信電力オフセットのリセット時）から、ＵＥ１０３の送信電力の変化に対する受信品質の変化量を測定する。送信電力の変化に対する受信品質の変化量が一定量以下の期間が一定時間以上継続された場合、送信電力の変化に対する受信品質の変化量が一定量以下となり始めたときの送信電力を飽和開始電力とする。
【０１２０】
「目標送信電力」の列には、グループ制御が行なわれ、送信電力に制限を付する場合におけるＵＥ１０３の送信電力の目標値が格納される。なお、送信電力に制限が付されないＵＥ１０３については、送信電力に制限が付されていないことを表わす値（例えば、ＮＵＬＬ値）が格納される。
【０１２１】
図２２は、本実施形態に係るｅＮＢ１０１により４つのグループに対するグループ制御が行なわれる場合の個々のＵＥ１０３に対する電力制御の処理のフローチャートである。ステップＳ２２０１において、目標送信電力がＮＵＬＬであるかどうかが判断される。
【０１２２】
目標送信電力がＮＵＬＬである（ステップＳ２２０１においてＹＥＳ）ときには、ステップＳ２２０２において、送信電力制御部９０４は、受信品質が目標受信品質より劣っているかどうかを判断する。受信品質が目標受信品質より劣っている（ステップＳ２２０２においてＹＥＳ）ときには、送信電力制御部９０４は、ステップＳ２２０３に処理を移し、送信部９０５が送信電力を上げる電力制御命令を送信する。受信品質が目標受信品質より劣っていない（ステップＳ２２０２においてＮＯ）ときには、送信電力制御部９０４は、ステップＳ２２０４に処理を移し、送信部９０５が送信電力を下げる電力制御命令を送信する。
【０１２３】
目標送信電力がＮＵＬＬではない（ステップＳ２２０１においてＮＯ）ときには、ステップＳ２２０５において目標送信電力より送信電力が小さいかどうかを判断する。目標送信電力より送信電力が小さい（ステップＳ２２０５においてＹＥＳ）ときには、送信電力制御部９０４は、ステップＳ２２０３に処理を移す。また、目標送信電力より送信電力が小さくない（ステップＳ２２０５においてＮＯ）ときには、送信電力制御部９０４は、ステップＳ２２０４に処理を移す。
【０１２４】
以上のように、本実施形態においては、実施形態１の効果に加えて、さらに飽和開始電力に基づいて送信電力を制御する。したがって、受信品質を劣化させずに送信電力を下げることが可能となる。
【０１２５】
（実施形態３）
実施形態３として、ｅＮＢ１０１において上り信号に干渉する信号の干渉量（受信強度）を測定し制御装置７０１に報告し、制御装置７０１により必要に応じてグループ制御が行なわれる形態について説明する。
【０１２６】
図２３は、実施形態３を説明するために使用する無線通信システム２３００の全体構成図である。無線通信システム２３００は、あるエリア（例えばオフィスフロア）２３０１に配置されるｅＮＢ１０１＃１〜１０１＃６を有する。ｅＮＢ１０１＃１〜１０１＃３はネットワーク１０２＃１に接続され、ｅＮＢ１０１＃４〜１０１＃６は、ネットワーク１０２＃２に接続されている。なお、ネットワーク１０２＃１および１０２＃２は同じネットワークであってもよい。また、ｅＮＢ１０１＃１〜１０１＃６は制御装置７０１に接続される。ｅＮＢ１０１＃１〜１０１＃６は、ネットワーク１０２＃１および１０２＃２を介して制御装置７０１に接続されていてもよい。
【０１２７】
ｅＮＢ１０１＃１〜１０１＃６のそれぞれは、一点鎖線が示すように、ＵＥ１０３＃１〜１０３＃６のそれぞれと通信を行なっている。このうち、ＵＥ１０３＃１、１０３＃４、１０３＃５が、ｅＮＢ１０１＃２に近い位置にあり、ＵＥ１０３＃２が送信するｅＮＢ１０１＃２への上り信号の干渉信号源となっていることを想定する（符号２３１１〜２３１３参照）。
【０１２８】
図２４は、実施形態３におけるｅＮＢ１０１の機能ブロック図である。実施形態３においては、ｅＮＢ１０１は、実施形態１または２におけるｅＮＢ１０１がさらに干渉測定部２４０１を有し、受信部９０１により受信した上り信号に含まれる干渉信号の強度を測定する。当該強度は、ｅＮＢ１０１の上り送信帯域における受信電力とｅＮＢ１０１に対して上り通信を行なっている各ＵＥ１０３の所望波信号電力とを測定し、総電力から所望波信号電力を減算することにより得ることができる。ここで各ＵＥの所望波信号電力は、各ＵＥ１０３の上り送信電力から、ＵＥ１０３からｅＮＢ１０１の間の伝搬損失を減算することで算出することができる。
【０１２９】
本実施形態においては、干渉測定部２４０１が測定した干渉信号の強度は、グループ判定制御部９０３に伝達され、グループ情報送信部９０７により制御装置７０１に送信される。図２５は、本実施形態におけるｅＮＢ１０１のグループ判定制御部９０３の処理のフローチャートの一例を示す。ステップＳ２５０１において、グループ判定制御部９０３は、グループ情報と干渉信号の強度とを制御装置７０１に送信する。
【０１３０】
図２６は、実施形態３においてｅＮＢ１０１ごとに各グループに属するＵＥ１０３の数を示す情報の一例をテーブル形式で示す図である。本実施形態における制御装置７０１の構成は、実施形態１または２と同様である。ただし、制御装置７０１のグループ情報受信部１４０１（図１４参照）がグループ情報と干渉信号の強度とをｅＮＢ１０１より受信すると、図２６に示すテーブルにおいてｅＮＢ１０１の識別情報に干渉信号の強度を関連付けて格納する構成となっている。別言すれば、基地局ＩＤと干渉量とが関連付けられて、図２６に示すテーブルに格納される。なお、図２６に示すテーブルは、グループＡ〜Ｃ端末数を各ｅＮＢ１０１の識別情報に関連付けて格納するようになっているが、実施形態２のように、グループＡ−１、Ａ−２、ＢおよびＣ端末数を関連付けて格納するようになっていてもよい。
【０１３１】
図２７は、本実施形態における制御装置７０１の処理のフローチャートである。ステップＳ２７０１において、グループ情報受信部１４０１は、ｅＮＢ１０１よりグループ情報および干渉信号の強度を受信する。ステップＳ２７０２において、グループ制御情報生成部１４０２は、グループ情報および干渉信号の強度を解析する。例えば、実施形態１または２の解析に加え、干渉信号の強度が所定の値（許容量）を超えているかどうかも解析する。ステップＳ２７０３においては、ステップＳ２７０２における解析の結果に基づいて、送信電力を制御するグループを決定し、グループ制御情報を生成する。例えば、干渉信号の強度が所定の値を超えているｅＮＢ１０１が存在すれば、他のｅＮＢ１０１にグループ制御をさせるためのグループ制御情報を生成する。なお、他のｅＮＢ１０１は、干渉信号の強度が所定の値を超えているｅＮＢ１０１の周囲に位置するｅＮＢ１０１であってもよい。これにより、干渉信号の強度が所定の値を超えているｅＮＢ１０１から離れたｅＮＢ１０１と通信を行なっているＵＥ１０３の通信品質の劣化を防ぐことができる。ステップＳ２７０４において、ステップＳ２７０３で生成したグループ制御情報を送信する。
【０１３２】
一旦、ｅＮＢ１０１におけるグループ制御を開始させた場合、制御装置７０１は、継続してｅＮＢ１０１からグループ情報と干渉量とを受信し、解析を行なう。この結果、各ｅＮＢ１０１において干渉量が許容量以下となるか、グループ情報が所定の条件を満たす場合に、グループ制御を終了させる。グループ情報が所定の条件を満たすとは、グループＡに属するＵＥ１０３の数が所定の数以下となることに相当してよい。あるいは、当該条件は、グループＡおよびグループＢに属するＵＥ１０３の数が所定の数以下となることに相当してもよい。グループＡにサブグループがある場合には、当該条件における「グループＡに属するＵＥ１０３の数」を「グループＡ−１およびＡ−２に属するＵＥ１０３の数」に置き換えてもよい。
【０１３３】
本実施形態では、ｅＮＢ１０１が測定した干渉信号の強度に基づいてグループ制御を行なうので、実際にｅＮＢ１０１における干渉量が許容値を超えたことを検出しグループ制御を行なうので、より正確な制御が可能となる。例えば、図２３に示したように、ｅＮＢ１０１＃２は、３台のＵＥ１０３＃１、１０３＃４および１０３＃５からの干渉量を干渉測定部２４０１により測定し、制御装置７０１に送信し、干渉量が許容量を超えていることを制御装置７０１に報告することができる。
【０１３４】
なお、実施形態３の変形例として、各ｅＮＢ１０１による干渉信号の強度の測定結果が許容値を超えたときに、グループ制御をｅＮＢ１０１から制御装置７０１に要求を行なってもよい。
【０１３５】
図２８は、実施形態３の変形例におけるｅＮＢ１０１によるグループ制御要求の処理のフローチャートの一例を示す。図２８に示すように、各ｅＮＢ１０１においては、干渉測定部２４０１が干渉信号の強度を測定するたびに、干渉量が許容値を超えているかどうかを判断する（ステップＳ２８０１）。干渉量が許容値を超えていなければ（ステップＳ２８０１においてＮＯ）、処理は終了する。一方、干渉信号の強度が許容値を超えていれば（ステップＳ２８０１においてＹＥＳ）、ｅＮＢ１０１は、制御装置７０１にグループ制御を要求する（ステップＳ２８０２）。
【０１３６】
このようにｅＮＢ１０１が干渉量を測定し、干渉信号の強度が許容値を超えた場合にグループ制御を要求することにより、グループ情報を送信する際に干渉信号の強度を送信しなくてもよくなり、送信データ量を削減することができる。また、干渉信号の強度が実際に許容量を超えた場合にグループ制御を行なうので、必要なときにグループ制御が実施され、不要なグループ制御を抑制できる。
【０１３７】
図２９は、実施形態３の変形例における制御装置７０１の処理のフローチャートである。ステップＳ２９０１において、グループ情報受信部１４０１は、ｅＮＢ１０１よりグループ制御要求を受信する。ステップＳ２９０２において、グループ制御情報生成部１４０２は、グループ制御要求を送信したｅＮＢ１０１の周辺のｅＮＢ１０１に対するグループ制御情報を生成する。ステップＳ２９０３において、グループ制御情報送信部１４０３は、グループ制御要求を送信したｅＮＢ１０１の周辺のｅＮＢ１０１にグループ制御情報を送信する。
【０１３８】
図３０は、実施形態３の変形例における無線通信システム２３００のｅＮＢ１０１＃１〜１０１＃６および制御装置７０１の通信のシーケンス図である。
【０１３９】
ステップＳ３００１〜Ｓ３００６において、ｅＮＢ１０１＃１〜１０１＃６のそれぞれから制御装置７０１へグループ情報が送信される。制御装置７０１がステップＳ３００１からＳ３００６にて受信したグループ情報を解析した結果、上り通信性能に支障はないと判断したので、この時点ではグループ制御情報が生成されないと想定する。
【０１４０】
しかし、実際にｅＮＢ１０１＃２における干渉量が許容量を超えていたとすると、ステップＳ３００７において、ｅＮＢ１０１＃２は、制御装置７０１にグループ制御要求を送信する。
【０１４１】
グループ制御要求を受信した制御装置７０１は、グループ情報を再度解析し、ｅＮＢ１０１＃１、１０１＃４および１０１＃５と通信を行なうＵＥ１０３＃１、１０３＃４および１０３＃５が干渉信号源であると判断する。なお、グループ情報を再度解析する代わりに、ｅＮＢ１０１＃１〜１０１＃６にグループ情報を要求し、受信したグループ情報を解析し、干渉信号源を判断してもよい。この結果、ステップＳ３００８、Ｓ３００９およびＳ３０１０において、ｅＮＢ１０１＃１、１０１＃４および１０１＃５にグループ制御情報が送信され、ｅＮＢ１０１＃１、１０１＃４および１０１＃５のそれぞれにおいてグループ制御が行なわれる。
【０１４２】
（ハードウェア構成）
図３１（Ａ）は、ＵＥ１０３のハードウェア構成図である。ＵＥ１０３は、メモリ３１０１、ＣＰＵ３１０２、ＤＳＰ３１０３およびＲＦ回路３１０４を有する。ＣＰＵはＣｅｎｔｒａｌ  Ｐｒｏｃｅｓｓｉｎｇ  Ｕｎｉｔの略称であり、ＤＳＰはＤｉｇｉｔａｌ  Ｓｉｇｉｎａｌ  Ｐｒｏｃｅｓｓｏｒの略称であり、ＲＦはＲａｄｉｏ  Ｆｒｅｑｕｅｎｃｙの略称である。メモリ３１０１は、各種の設定およびＣＰＵ３１０２により実行されるプログラムを記憶する。ＲＦ回路３１０４は、図示しないアンテナを介して送受信される無線信号とベースバンド信号（電気信号）との変換を行なう。ＤＳＰ３１０３は、電気信号に所定の信号処理（例えば、送受信信号の終端や通信プロトコル変換など）を行なうプロセッサである。
【０１４３】
また、ＣＰＵ３１０２が実行するプログラムの中には、受信部８０１（図８参照）で受信された電力制御命令に応じて、ＲＦ回路３１０４の送信電力を制御するためのプログラムが含まれていてもよい。なお、ＵＥ１０３は、プログラムをＣＰＵ３１０２により実行し、ソフトウェアを用いる代わりに、ＦＰＧＡ（Ｆｉｅｌｄ  Ｐｒｏｇｒａｍｍａｂｌｅ  Ｇａｔｅ  Ａｒｒａｙ）等のハードウェアを用いて構成されてもよい。
【０１４４】
図３１（Ｂ）は、ｅＮＢ１０１のハードウェア構成図である。ｅＮＢ１０１は、メモリ３１１１、ＣＰＵ３１１２、外部信号Ｉ／Ｆ（ＩｎｔｅｒＦａｃｅ）３１１３、ＲＦ部３１１４およびベースバンド信号処理部３１１５を有する。メモリ３１１１は、各種の設定およびＣＰＵ３１１２により実行されるプログラムを記憶する。また、メモリ３１１１は、図１０または図２１に示すテーブルと同等のデータを記憶する。外部信号Ｉ／Ｆ３１１３は、ＣＰＵ３１１２により実行されるプログラムが、ネットワーク１０２および制御装置７０１と各種データを交換するためのインターフェースである。ＲＦ部３１１４は、図示しないアンテナを介して送受信される無線信号とベースバンド信号（電気信号）との変換を行なう。ベースバンド信号処理部３１１５は、電気信号に所定の信号処理（例えば、送受信信号の終端や通信プロトコル変換など）を行なうプロセッサである。
【０１４５】
また、ＣＰＵ３１１２が実行するプログラムの中には、通信状態情報取得部９０２、グループ判定制御部９０３および送信電力制御部９０４（図９参照）の機能を実現するためのプログラムが含まれる。ＵＥ１０３について述べたのと同様に、ｅＮＢ１０１は、ソフトウェアを用いる代わりにＦＰＧＡ等のハードウェアを用いて構成されてもよい。
【０１４６】
図３１（Ｃ）は、制御装置７０１のハードウェア構成図である。制御装置７０１は、メモリ３１２１、ＣＰＵ３１２２、２次記憶装置３１２３、外部信号Ｉ／Ｆ３１２４および管理者Ｉ／Ｆ３１２５を有する。メモリ３１２１はＣＰＵ３１２２により実行されるプログラムを記憶する。２次記憶装置３１２３は、情報およびプログラムを永続的に記憶する装置である。２次記憶装置３１２３に記憶された情報およびプログラムは、必要に応じてメモリ３１２１にロードされる。また、２次記憶装置３１２３は、メモリ３１２１に記憶された情報を記憶する。メモリ３１２１および２次記憶装置３１２３に記憶されるデータには、図１５または図２６に例示したテーブルに関する情報が含まれてよい。外部信号Ｉ／Ｆ３１２４は、ｅＮＢ１０１と通信を行なうインターフェースであり、例えば、グループ情報やグループ制御情報がｅＮＢ１０１との間で送受信される。管理者Ｉ／Ｆ３１２５は、制御装置７０１の管理者が制御装置７０１を操作するためのインターフェース（ディスプレイの表示やキーボードによる入力など）を提供する。
【０１４７】
また、ＣＰＵ３１２２が実行するプログラムの中には、グループ制御情報生成部１４０２（図１４参照）の機能を実現するためのプログラムが含まれる。制御装置７０１は、ソフトウェアを用いる代わりに、ＦＰＧＡ等のハードウェアを用いて構成されてもよい。
【０１４８】
（付記）
以上の実施形態の各説明に関し、以下の付記をさらに開示する。
【０１４９】
（付記１）
複数の無線エリアのいずれかに位置する端末が送信した上り信号から前記端末の上り通信の品質指標を検出する検出部と、
前記検出された品質指標を基に、前記端末が前記品質指標に対して設定された複数のグループのいずれに属するかを判定する判定部と、
前記判定の結果を制御装置宛に送信する送信部と、
前記制御装置が、前記複数の無線エリアから受信した前記判定の結果を基に、前記グループ毎に決定した上り信号の送信電力制御方法を示す制御情報を、前記制御装置から受信する受信部と、
前記受信した制御情報に従って、前記端末の送信電力を制御する制御部と、
を備える基地局。
【０１５０】
（付記２）
前記品質指標には、前記端末の送信電力と前記上り信号の受信品質とが含まれ、
前記判定部は、前記送信電力が閾値以上であり、前記受信品質が端末ごとに定められる受信品質に満たない端末を第１のグループに属すると判定し、
前記制御情報は、前記第１のグループに属する端末の送信電力を他のグループに属する端末より優先して制限することを表わす、付記１に記載の基地局。
【０１５１】
（付記３）
前記判定部は、前記第１のグループに属する端末のうち前記送信電力が最大となっている端末を第１のサブグループに属すると判定し、前記送信電力が最大となっていない端末を第２のサブグループに属すると判定し、
前記制御情報は、前記第１のサブグループに属する端末の送信電力を前記第２のサブグループに属する端末より優先して制限することを表わす、付記２に記載の基地局。
【０１５２】
（付記４）
前記制御部は、前記制御情報に基づいて、前記第１のサブグループに属する端末の送信電力を、当該端末の送信電力を上げても受信品質が改善しない状態が開始した送信電力に制限する、付記３に記載の基地局。
【０１５３】
（付記５）
前記判定部は、前記送信電力が閾値以上であり、前記受信品質が端末ごとに定められる受信品質を満たす端末を第２のグループに属すると判定し、
前記制御情報は、前記第２のグループに属する端末の送信電力を前記第１のグループに属する端末に次いで優先して制限することを表わす、付記２から４のいずれか１項に記載の基地局。
【０１５４】
（付記６）
制御装置と複数の基地局とを備える無線通信システムであって、
前記複数の基地局のそれぞれは、
複数の無線エリアのいずれかに位置する端末が送信した上り信号から前記端末の上り通信の品質指標を検出する検出部と、
前記検出された品質指標を基に、前記端末が前記品質指標に対して設定された複数のグループのいずれに属するかを判定する判定部と、
前記判定の結果を前記制御装置宛に送信する第１送信部と、
前記制御装置が、前記複数の無線エリアから受信した前記判定の結果を基に、前記グループ毎に決定した上り信号の送信電力制御方法を示す制御情報を、前記制御装置から受信する第１受信部と、
前記受信した制御情報に従って、前記端末の送信電力を制御する制御部と、
を備え、
前記制御装置は、
前記複数の基地局のそれぞれより前記判定部による前記判定の結果を受信する第２受信部と、
前記受信した前記判定の結果に基づいて前記制御情報を生成する生成部と、
前記生成した制御情報を前記複数の基地局のそれぞれに送信する第２送信部と、
を備える無線通信システム。
【０１５５】
（付記７）
前記複数の基地局のそれぞれは、前記上り信号への干渉量を測定する干渉測定部を有し、
前記第１送信部は、前記測定の結果を前記制御装置に送信し、
前記生成部は、前記干渉量が許容値を超える基地局の数が一定数を超えると、前記端末の送信電力を制限する前記制御情報を生成する、付記６に記載の無線通信システム。
【０１５６】
（付記８）
前記品質指標には、前記端末の送信電力と前記上り信号の受信品質とが含まれ、
前記判定部は、前記送信電力が閾値以上であり、前記受信品質が端末ごとに定められる受信品質に満たない端末を第１のグループに属すると判定し、
前記生成部は、前記第１のグループに属すると判定される端末の数が所定の数を超えると、前記第１のグループに属すると判定される端末の送信電力を制限する前記制御情報を生成する、付記６または７に記載の無線通信システム。
【０１５７】
（付記９）
複数の無線エリアのいずれかに位置する端末が送信した上り信号から前記端末の上り通信の品質指標を検出し、
前記検出された品質指標を基に、前記端末が前記品質指標に対して設定された複数のグループのいずれに属するかを判定し、
前記判定の結果を制御装置宛に送信し、
前記制御装置が、前記複数の無線エリアから受信した前記判定の結果を基に、前記グループ毎に決定した上り信号の送信電力制御方法を示す制御情報を、前記制御装置から受信し、
前記受信した制御情報に従って、前記端末の送信電力を制御する、
基地局の動作方法。
【０１５８】
（付記１０）
前記品質指標には、前記端末の送信電力と前記上り信号の受信品質とが含まれ、
前記送信電力が閾値以上であり、前記受信品質が端末ごとに定められる受信品質に満たない端末を第１のグループに属すると判定し、
前記第１のグループに属する端末の送信電力を他のグループに属する端末より優先して制限する、付記９に記載の基地局の動作方法。
【０１５９】
（付記１１）
前記第１のグループに属する端末のうち前記送信電力が最大となっている端末を第１のサブグループに属すると判定し、前記送信電力が最大となっていない端末を第２のサブグループに属すると判定し、
前記第１のサブグループに属する端末の送信電力を前記第２のサブグループに属する端末より優先して制限する、付記１０に記載の基地局の動作方法。
【０１６０】
（付記１２）
前記第１のサブグループに属する端末の送信電力を、前記端末の送信電力を上げても前記受信品質が改善しない状態が開始した送信電力に制限する、付記１１に記載の制御方法。
【０１６１】
（付記１３）
前記送信電力が閾値以上であり、前記受信品質が端末ごとに定められる受信品質を満たす端末を第２のグループに属すると判定し、
前記第２のグループに属する端末の送信電力を前記第１のグループに属する端末に次いで優先して制限する、付記１０から付記１２のいずれか１項に記載の制御方法。
【０１６２】
（付記１４）
複数の基地局にて前記上り信号への干渉量を測定し、
前記干渉量が許容値を超える基地局の数が一定数を超えると、前記端末の送信電力を制限する付記９から付記１３のいずれか１項に記載の制御方法。
【符号の説明】
【０１６３】
１００，５００，７００，２３００  ：無線通信システム
１０１                            ：ｅＮＢ
１０２                            ：ネットワーク
１０３                            ：ＵＥ
７０１                            ：制御装置
８０１，９０１                    ：受信部
８０２，９０４                    ：送信電力制御部
８０３，９０５                    ：送信部
９０２                            ：通信状態情報取得部
９０３                            ：グループ判定制御部
９０６                            ：グループ判定部
９０７                            ：グループ情報送信部
９０８                            ：グループ制御情報受信部
９０９                            ：グループ制御部
１４０１                          ：グループ情報受信部
１４０２                          ：グループ制御情報生成部
１４０３                          ：グループ制御情報送信部
２００１                          ：目標受信品質
２００２                          ：曲線
２１２４                          ：外部信号Ｉ／Ｆ
２４０１                          ：干渉測定部
３１０１，３１１１，３１２１      ：メモリ
３１０２，３１１２，３１２２      ：ＣＰＵ
３１０４，３１１４                ：ＲＦ回路
３１１３，３１２４                ：外部信号Ｉ／Ｆ
３１１５                          ：ベースバンド信号処理部
３１２３                          ：２次記憶装置
３１２５                          ：管理者Ｉ／Ｆ
【図１】
2018023040.tif 000004
【図２】
2018023040.tif 000005
【図３】
2018023040.tif 000006
【図４】
2018023040.tif 000007
【図５】
2018023040.tif 000008
【図６】
2018023040.tif 000009
【図７】
2018023040.tif 000010
【図８】
2018023040.tif 000011
【図９】
2018023040.tif 000012
【図１０】
2018023040.tif 000013
【図１１】
2018023040.tif 000014
【図１２】
2018023040.tif 000015
【図１３】
2018023040.tif 000016
【図１４】
2018023040.tif 000017
【図１５】
2018023040.tif 000018
【図１６】
2018023040.tif 000019
【図１７】
2018023040.tif 000020
【図１８】
2018023040.tif 000021
【図１９】
2018023040.tif 000022
【図２０】
2018023040.tif 000023
【図２１】
2018023040.tif 000024
【図２２】
2018023040.tif 000025
【図２３】
2018023040.tif 000026
【図２４】
2018023040.tif 000027
【図２５】
2018023040.tif 000028
【図２６】
2018023040.tif 000029
【図２７】
2018023040.tif 000030
【図２８】
2018023040.tif 000031
【図２９】
2018023040.tif 000032
【図３０】
2018023040.tif 000033
【図３１】
2018023040.tif 000034